【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
複数の携帯電話ユーザに携帯電話サービスを提供する携帯電話通信事業者と、前記複数の携帯電話ユーザに前記携帯電話通信事業者を介してデータサービスを提供するデータサービスプロバイダとを含む携帯電話ネットワークで、連絡先との複数の形態の携帯電話通信を開始するために現在の連絡先およびメタデータ情報を維持する方法において、
複数の形態の通信に関する連絡先情報を１つまたは複数の連絡先と共に記憶する連絡先リストを前記携帯電話に作成する動作と、
通信時間、帯域幅、または処理要件を前記携帯電話で制御するために、少なくとも１つの連絡先を新しい情報が入手可能になった場合に更新されるべき自動ライブ連絡先に指定し、残りの連絡先を新しい情報が入手可能になった場合に更新されない他の連絡先に指定する動作と、
新しい情報が前記少なくとも１つの自動ライブ連絡先に対して入手可能になった場合に前記データサービスプロバイダが前記携帯電話に前記新しい情報を送信できるように前記連絡先リストをバックアップ記憶および更新処理のために前記データサービスプロバイダに送信する動作と、
前記データサービスプロバイダによって開始された前記少なくとも１つの自動ライブ連絡先に関する自動連絡先およびメタデータ情報の更新を前記携帯電話通信事業者を介して定期的に受信する動作と、
適切な形態の通信を前記自動ライブ連絡先に関する正確な連絡先およびメタデータを使用して開始できるように前記少なくとも１つの自動ライブ連絡先を前記受信した更新で更新する動作と
を含むことを特徴とする方法。
【請求項２】
前記少なくとも１つの自動ライブ連絡先に対する前記複数の形態の通信は、音声、電子メール、インスタントメッセージ、位置特定、およびゲーム通信のうちの複数を含み、前記少なくとも１つの自動ライブ連絡先を位置特定する動作をさらに含むことを特徴とする請求項１に記載の方法。
【請求項３】
少なくとも１つの連絡先は他の連絡先に指定されており、
前記少なくとも１つの他の連絡先に関する連絡先またはメタデータの更新に対する明示的要求を前記データサービスプロバイダに送信する動作と、
前記少なくとも１つの他の連絡先に関して前記データサービスプロバイダから前記要求した連絡先またはメタデータの更新を受信する動作と
をさらに含むことを特徴とする請求項１に記載の方法。
【請求項４】
前記携帯電話に関連付けられたユーザに関する連絡先情報を更新する動作と、
１つまたは複数の他の携帯電話を前記携帯電話に関連付けられた前記ユーザに関する新しい連絡先情報で更新するために前記更新された連絡先情報を前記データサービスプロバイダに送信する動作と
をさらに含むことを特徴とする請求項１に載の方法。
【請求項５】
前記携帯電話に関連付けられたユーザはパーソナルコンピュータにも関連付けられており、前記データサービスプロバイダが前記連絡先リストを前記パーソナルコンピュータに送信する動作をさらに含むことを特徴とする請求項１に記載の方法。
【請求項６】
前記パーソナルコンピュータは複数の連絡先を記憶しており、前記データサービスプロバイダが前記複数の連絡先のどれを前記携帯電話と同期すべきかを前記ユーザが指定する動作をさらに含むことを特徴とする請求項５に記載の方法。
【請求項７】
前記連絡先情報の少なくとも一部を前記携帯電話に表示する動作をさらに含むことを特徴とする請求項１に記載の方法。
【請求項８】
誰が前記携帯電話のユーザに対応する連絡先またはメタデータ情報の更新を受信できるかを指定する許可情報を前記データサービスプロバイダに送信する動作をさらに含むことを特徴とする請求項１に記載の方法。
【請求項９】
前記携帯電話の前記ユーザに対応する前記連絡先およびメタデータ情報の少なくとも一部が複数の許可レベルの１つに割り当てられており、前記許可情報は許可レベルを前記携帯電話の前記ユーザに対応する連絡先またはメタデータの更新を要求することのできる少なくとも１つまたは複数の連絡先に関連付けることを特徴とする請求項８に記載の方法。
【請求項１０】
動作モードの変更に基づいて前記携帯電話に対するメタデータの更新を自動的に送信する動作をさらに含むことを特徴とする請求項１に記載の方法。
【請求項１１】
動作モードの前記変更は、前記携帯電話をオンに切り替えること、前記携帯電話をオフに切り替えること、前記携帯電話をバイブレーションモードに切り替えること、前記携帯電話を着信音モードに切り替えること、呼に応答すること、および呼を終了することの少なくとも１つを含むことを特徴とする請求項１０に記載の方法。
【請求項１２】
前記携帯電話は１つのアクションキーを含んでおり、前記少なくとも１つの自動ライブ連絡先に関して前記データサービスプロバイダから受信した連絡先およびメタデータ情報の更新に基づいて前記アクションキーに関連付けられた前記デフォルトアクションを更新する動作をさらに含むことを特徴とする請求項１に記載の方法。
【請求項１３】
複数の携帯電話ユーザに携帯電話サービスを提供する携帯電話通信事業者と、前記複数の携帯電話ユーザに前記携帯電話通信事業者を介してデータサービスを提供するデータサービスプロバイダとを含む携帯電話ネットワークのために、連絡先との複数の形態の携帯電話通信を開始するために現在の連絡先およびメタデータ情報を維持する方法を実施するコンピュータ実行可能命令を搬送する１つまたは複数のコンピュータ可読媒体を含むコンピュータプログラム製品において、前記方法が、
複数の形態の通信に関する連絡先情報を１つまたは複数の連絡先と共に記憶する連絡先リストを前記携帯電話に作成する動作と、
通信時間、帯域幅、または処理要件を前記携帯電話で制御するために、少なくとも１つの連絡先を新しい情報が入手可能になった場合に更新されるべき自動ライブ連絡先に指定し、残りの連絡先を新しい情報が入手可能になった場合に更新されない他の連絡先に指定する動作と、
新しい情報が前記少なくとも１つの自動ライブ連絡先に対して入手可能になった場合に前記データサービスプロバイダが前記携帯電話に前記新しい情報を送信できるように前記連絡先リストをバックアップ記憶および更新処理のために前記データサービスプロバイダに送信する動作と、
前記少なくとも１つの自動ライブ連絡先に関する自動連絡先およびメタデータ情報の更新を前記データサービスプロバイダから前記携帯電話通信事業者を介して定期的に受信する動作と、
適切な形態の通信を前記自動ライブ連絡先に関する正確な連絡先およびメタデータ情報を使用して開始できるように前記少なくとも１つの自動ライブ連絡先を前記受信した更新で更新する動作と
を含むことを特徴とするコンピュータプログラム製品。
【請求項１４】
前記少なくとも１つの自動ライブ連絡先に対する前記複数の形態の通信は、音声、電子メール、インスタントメッセージ、位置特定、およびゲーム通信のうちの複数を含み、前記方法は、ゲームを前記少なくとも１つの自動ライブ連絡先で開始する動作をさらに含むことを特徴とする請求項１３に記載のコンピュータプログラム製品。
【請求項１５】
前記方法は、前記１つまたは複数の連絡先に関する連絡先情報に対する明示的要求を前記データサービスプロバイダに送信する動作をさらに含むことを特徴とする請求項１３に記載のコンピュータプログラム製品。
【請求項１６】
前記明示的要求は前記携帯電話に対して前記１つまたは複数の連絡先を回復する要求を表すことを特徴とする請求項１５に記載のコンピュータプログラム製品。
【請求項１７】
前記明示的要求は第２の携帯電話に対して前記１つまたは複数の連絡先を回復する要求を表すことを特徴とする請求項１５に記載のコンピュータプログラム製品。
【請求項１８】
前記連絡先リストに含まれない連絡先から通信を受信する動作と、
前記連絡先を前記連絡先リストに追加する動作と、
前記受信した通信に関連して前記連絡先に関する連絡先およびメタデータ情報を受信する動作と
をさらに含むことを特徴とする請求項１５に記載のコンピュータプログラム製品。
【請求項１９】
前記方法は、前記携帯電話に前記メタデータ情報の少なくとも一部を表示する動作をさらに含むことを特徴とする請求項１５に記載のコンピュータプログラム製品。
【請求項２０】
前記方法は、前記携帯電話の１つまたは複数の機能を前記データサービスプロバイダに登録する動作をさらに含むことを特徴とする請求項１５に記載のコンピュータプログラム製品。
【請求項２１】
前記方法は、
前記携帯電話に関するメタデータおよび連絡先情報の更新を他の携帯電話に提供するための許可要求を前記データサービスプロバイダから受信する動作と、
前記携帯電話に関するメタデータおよび連絡先情報の更新を受信することが前記他の携帯電話に許可されているか否かを指定する許可情報を前記データサービスプロバイダに送信する動作と
をさらに含むことを特徴とする請求項１５に記載のコンピュータプログラム製品。
【請求項２２】
連絡先に関する前記連絡先情報の一部は最初は前記携帯電話で読み取り専用であり、前記方法は、
前記携帯電話で前記連絡先に関する前記連絡先情報の前記読み取り専用部分を更新する動作と、
前記連絡先に関する前記連絡先情報は前記携帯電話で管理され、また前記連絡先に関する前記連絡先情報の前記読み取り専用部分に対してこれ以上更新を受信すべきでないという指示を前記データサービスプロバイダに送信する動作と、
前記連絡先に関する前記連絡先情報の前記読み取り専用部分を読み取り書き込みとする動作と
をさらに含むことを特徴とする請求項１５に記載のコンピュータプログラム製品。
【請求項２３】
連絡先に関する前記連絡先情報の少なくとも一部は前記携帯電話で読み取り専用であり、前記方法は、
前記携帯電話で前記連絡先に関する前記連絡先情報の前記読み取り専用部分の更新を試みる動作と、
前記データサービスプロバイダが前記読み取り専用部分を更新し続けることができるように前記連絡先に関する前記連絡先情報の前記読み取り専用部分を複製する動作と、
前記複製された読み取り専用部分を前記携帯電話で更新することができるように前記複製された読み取り専用部分を読み取り書き込みとする動作と
をさらに含むことを特徴とする請求項１５に記載のコンピュータプログラム製品。
【請求項２４】
複数の携帯電話ユーザに携帯電話サービスを提供する携帯電話通信事業者と、前記複数の携帯電話ユーザに前記携帯電話通信事業者を介してデータサービスを提供するデータサービスプロバイダとを含む携帯電話ネットワークで、携帯電話から複数の形態の通信を開始することを可能にする連絡先に関する現在の連絡先およびメタデータ情報を維持する方法において、
前記携帯電話に１つまたは複数の連絡先との複数の形態の通信に関する連絡先情報を記憶するステップと、
各連絡先を、新しい情報が入手可能となった場合に同期されるべき自動ライブ連絡先か、または新しい情報が入手可能となった場合に同期されない他の連絡先か特定するステップと、
新しい情報が前記少なくとも１つの自動ライブ連絡先に対して入手可能となった場合に前記データサービスプロバイダが前記携帯電話を前記新しい情報で同期することができるように、前記１つまたは複数の連絡先を更新処理のために前記データサービスプロバイダに伝達するステップと、
前記データサービスプロバイダから前記携帯電話通信事業者を介して受信される自動連絡先およびメタデータ情報の更新を自動ライブ連絡先と特定された１つまたは複数の連絡先に定期的に適用するステップと、
前記１つまたは複数の自動ライブ連絡先に関する前記更新された連絡先およびメタデータ情報に基づいて自動ライブ連絡先と特定された前記１つまたは複数の連絡先とのある形態の通信を開始するステップと
を含むことを特徴とする方法。
【請求項２５】
自動ライブ連絡先と特定された前記１つまたは複数の連絡先に対する前記複数の形態の通信は、音声、電子メール、インスタントメッセージ、位置特定、およびゲーム通信の複数を含むことを特徴とする請求項２４に記載の方法。
【請求項２６】
前記１つまたは複数の自動ライブ連絡先に対して開始された前記ある形態の通信は電子メールを含むことを特徴とする請求項２５に記載の方法。
【請求項２７】
前記少なくとも１つの自動ライブ連絡先を他の連絡先と特定されるよう変更するステップと、
現在は他の連絡先である前記少なくとも１つの自動ライブ連絡先に対して新しい情報が入手可能になった場合に前記データサービスプロバイダが前記携帯電話に前記新しい情報をこれ以上送信しないように前記変更を前記データサービスプロバイダに伝達するステップと
をさらに含むことを特徴とする請求項２４に記載の方法。
【請求項２８】
前記データサービスプロバイダに前記１つまたは複数の連絡先に関する連絡先情報を明示的に要求するステップをさらに含むことを特徴とする請求項２４に記載の方法。
【請求項２９】
前記明示的要求は前記携帯電話に対して前記１つまたは複数の連絡先を回復する要求を表すことを特徴とする請求項２８に記載の方法。
【請求項３０】
前記明示的要求は第２の携帯電話に対して前記１つまたは複数の連絡先を回復する要求を表すことを特徴とする請求項２８に記載の方法。
【請求項３１】
複数の携帯電話ユーザに携帯電話サービスを提供する携帯電話通信事業者と、前記複数の携帯電話ユーザに前記携帯電話通信事業者を介してデータサービスを提供するデータサービスプロバイダとを含む携帯電話ネットワークで、複数の形態の通信を携帯電話から開始することを可能にする連絡先に関する現在の連絡先およびメタデータ情報を維持する方法を実施するコンピュータ実行可能命令を搬送する１つまたは複数のコンピュータ可読媒体を含むコンピュータプログラム製品において、前記方法は、
前記携帯電話に１つまたは複数の連絡先との複数の形態の通信に関する連絡先情報を記憶するステップと、
各連絡先を、新しい情報が入手可能となった場合に同期されるべき自動ライブ連絡先か、または新しい情報が入手可能となった場合に同期されない他の連絡先か特定するステップと、
新しい情報が前記少なくとも１つの自動ライブ連絡先に対して入手可能となった場合に前記データサービスプロバイダが前記携帯電話を前記新しい情報で同期することができるように、前記１つまたは複数の連絡先を更新処理のために前記データサービスプロバイダに伝達するステップと、
前記データサービスプロバイダから前記携帯電話通信事業者を介して受信される自動連絡先およびメタデータ情報の更新を自動ライブ連絡先と特定された１つまたは複数の連絡先に定期的に適用するステップと、
前記１つまたは複数の自動ライブ連絡先に関する前記同期された連絡先およびメタデータ情報に基づいて自動ライブ連絡先と特定された前記１つまたは複数の連絡先とのある形態の通信を開始するステップと
を含むことを特徴とするコンピュータプログラム製品。
【請求項３２】
自動ライブ連絡先と特定された前記１つまたは複数の連絡先に関する前記複数の形態の通信は、音声、電子メール、インスタントメッセージ、ショートメッセージサービス、マルチメディアメッセージサービス、位置特定、およびゲーム通信の複数を含むことを特徴とする請求項３１に記載のコンピュータプログラム製品。
【請求項３３】
前記１つまたは複数の自動ライブ連絡先に対して開始された前記ある形態の通信はインスタントメッセージを含むことを特徴とする請求項３２に記載のコンピュータプログラム製品。
【請求項３４】
自動ライブ連絡先と特定された前記１つまたは複数の連絡先に対する前記複数の形態の通信の少なくとも１つは、前記携帯電話と少なくとも１つの他の携帯電話の間のピアツーピア通信を含むことを特徴とする請求項３１に記載のコンピュータプログラム製品。
【請求項３５】
少なくとも１つの連絡先が他の連絡先に指定されており、前記方法は、
前記データサービスプロバイダに対して前記少なくとも１つの他の連絡先に関する連絡先およびメタデータ情報の更新を明示的に要求するステップと、
前記少なくとも１つの他の連絡先に関して前記要求された連絡先およびメタデータ情報の更新を前記データサービスプロバイダから受信する動作と
をさらに含むことを特徴とする請求項３１に記載のコンピュータプログラム製品。
【請求項３６】
少なくとも１つの連絡先は標準連絡先であることを特徴とする請求項３１に記載のコンピュータプログラム製品。
【請求項３７】
前記方法は、
前記携帯電話に関連付けられたユーザに関する連絡先情報を変更するステップと、
前記携帯電話に関連付けられた前記ユーザに関する新しい連絡先情報で１つまたは複数の他の携帯電話を更新するために前記変更された連絡先情報を前記データサービスプロバイダに伝達するステップと
をさらに含むことを特徴とする請求項３１に記載のコンピュータプログラム製品。
【請求項３８】
前記携帯電話に関連付けられたユーザはパーソナルコンピュータにも関連付けられており、前記自動連絡先およびメタデータ情報の更新は、前記パーソナルコンピュータに記憶されている前記１つまたは複数の連絡先に関する対応する連絡先情報に対して前記ユーザが行った変更に由来することを特徴とする請求項３１に記載のコンピュータプログラム製品。
【請求項３９】
前記連絡先情報の一部は前記携帯電話で読み取り専用であり、前記データサービスプロバイダから受信された連絡先およびメタデータ情報の更新によってのみ変更することができることを特徴とする請求項３１に記載のコンピュータプログラム製品。